(57)【要約】【課題】携帯電話端末ひいては携帯型文書作成装置において、被参照文書を参照しながら文書作成を行うのに適した表示形態を提供する。【解決手段】文書作成時に表示画面上に文書を入力する表示エリア（文書入力エリア）４１を設けるとともに、文書作成時に参照される被参照文書を表示する被参照文書表示エリア４２を設け、被参照文書表示エリア４２内に被参照文書をスクロール表示する。入力部からのコピー開始指示からコピー終了指示までの時間内に被参照文書表示エリア内の所定の箇所（固定カーソル４３）を通過した文書部分のコピーを行い、表示エリア４１内の入力文書に対して貼り付ける。【選択図】図５
2006350439.tif 000002
【特許請求の範囲】
【請求項１】
表示画面を有する表示部と、
文書および指示を入力するための入力部と、
文書作成時に前記表示画面上に文書を入力する文書入力エリアを設けるとともに、文書作成時に参照される被参照文書を表示する被参照文書表示エリアを設け、前記被参照文書表示エリア内において前記被参照文書をスクロール表示する表示制御手段と、
を備えたことを特徴とする携帯型文書作成装置。
【請求項２】
前記被参照文書表示エリアの表示行数およびスクロール速度の少なくとも一方をユーザが設定する設定手段を備えたことを特徴とする請求項１記載の携帯型文書作成装置。
【請求項３】
前記スクロールを手動で行うか否かをユーザが設定する設定手段を備え、前記表示制御手段は、手動で行うことが設定された場合には、前記入力部からの手動スクロール指示に応じて前記被参照文書のスクロールを行うことを特徴とする請求項１記載の携帯型文書作成装置。
【請求項４】
前記被参照文書のスクロールに伴い、前記被参照文書中のスクロールした量に相当する文書部分のコピーを行うコピー手段と、
このコピーされた文書部分を前記文書入力エリア内に貼り付ける貼付手段と
を備えたことを特徴とする請求項１記載の携帯型文書作成装置。
【請求項５】
前記コピー手段は、前記入力部からのコピー開始指示からコピー終了指示までの時間内に前記被参照文書表示エリア内の所定の箇所を通過した文書部分のコピーを行うことを特徴とする請求項４記載の携帯型文書作成装置。
【請求項６】
前記貼付手段は前記コピー終了指示に応じて当該コピーされた文書部分を前記文書入力エリア内の所定の箇所に貼り付けることを特徴とする請求項５記載の携帯型文書作成装置。
【請求項７】
前記表示制御手段は、前記コピー手段によりコピーされた文書部分が被参照文書全体に占める位置および割合を示すバー表示エリアを設けたことを特徴とする請求項４記載の携帯型文書作成装置。
【請求項８】
前記スクロールは文書の行に沿って文字列の並び方向に行うことを特徴とする請求項１記載の携帯型文書作成装置。
【請求項９】
前記スクロールは文書の行に直交する方向に行単位に行うことを特徴とする請求項１記載の携帯型文書作成装置。
【請求項１０】
表示画面を有する表示部と、
文書および指示を入力するための入力部と、
電子メールを送受信する通信手段と、
受信した電子メールへの返信メール作成時に前記表示画面上に返信メールを入力する送信メール入力エリアを設けるとともに、返信メール作成時に参照される受信メール文書を表示する受信メール表示エリアを設け、前記受信メール表示エリア内に前記受信メールをスクロール表示する表示制御手段と
を備えたことを特徴とする携帯電話端末。
【発明の詳細な説明】
【技術分野】
【０００１】
本発明は、携帯電話端末ひいては携帯型文書作成装置に関するものである。
【背景技術】
【０００２】
携帯電話端末をはじめとする携帯型端末は、パーソナルコンピュータ（ＰＣ)などの固定型端末と異なり、携帯性が重視される。つまり小型であることが要求されている。特に近年の技術革新によって、電子メールやスケジューラ、メモ帳など、様々なアプリケーションが携帯電話端末に搭載されるようになってきている。
【０００３】
また、アプリケーションの高機能化、多機能化に伴い、ＬＣＤ等のディスプレイ（表示部）に表示すべき情報が増大する一方で、小型を維持するために表示面積を増やせない現実がある。このことから表示領域の有効活用が求められている。
【０００４】
なお、携帯端末装置において受信した電子メールの表示処理に関し、送信する電子メール中に自動スクロール開始コードを含ませておき、受信側でこのコードを認識することにより、受信メールの表示時に自動的に電子メールをスクロールさせる技術が提案されている（特許文献１参照）。
【０００５】
また、携帯端末装置においてＷＥＢページや電子メール等のコンテンツを表示画面でスクロールさせる際、スクロールキーの長押しにより自動スクロールモードへ移行する技術、および、自動スクロールの速度を増加させる技術が提案されている（特許文献２参照）。
【特許文献１】特開２００２−９５０４３号公報
【特許文献２】特開２００３−１６２３５６号公報
【発明の開示】
【発明が解決しようとする課題】
【０００６】
ＰＣなどの固定型端末では、ユーザの志向やアプリケーションの規模に応じて、相応のサイズのディスプレイを選択して接続すれば簡単に表示エリアを増やすことができる。さらに複数のディスプレイを１台のＰＣに接続することも可能となっている。
【０００７】
しかし、携帯型端末では、小型化を実現するために必要最低限の面積で文書等を効果的に表示できることが望ましい。また、携帯型端末の小型化が進む一方で、人間の視力は技術革新のように変化しない。すなわちデバイス技術が進んで画素の微細化が行われたところで限界がある。
【０００８】
特に電子メール（以下、単にメールともいう）の編集においては、受信メールを見ながら返信メールを作成したい場合がある。そのためには、従来、メール作成画面において受信メールを引用形式で表示させた上で、返信メールを入力するような形態をとることができる。
【０００９】
しかし、宛先や件名、メール本文など様々な情報を画面上に同時に表示する必要があるため表示画面サイズの限られた携帯型端末では、通常、受信メールの引用部分は画面外に隠れてしまい、受信メールの内容を見ながら返信メールを作成するという作業が困難であった。
【００１０】
上記特許文献１，２は表示画面上での電子メールの自動スクロール技術を開示しているが、受信メールのような被参照文書を参照しながら、返信メールのような文書を作成しようとする場合の直接的な助けになるものではない。
【００１１】
本発明はこのような背景においてなされたものであり、携帯電話端末ひいては携帯型文書作成装置において、被参照文書を参照しながら文書作成を行うのに適した表示形態を提供しようとするものである。
【課題を解決するための手段】
【００１２】
本発明による携帯型文書作成装置は、表示画面を有する表示部と、文書および指示を入力するための入力部と、文書作成時に前記表示画面上に文書を入力する文書入力エリアを設けるとともに、文書作成時に参照される被参照文書を表示する被参照文書表示エリアを設け、前記被参照文書表示エリア内において前記被参照文書をスクロール表示する表示制御手段とを備えたことを特徴とする。
【００１３】
ユーザは、文書入力エリアに対して文書を入力する際に、被参照文書表示エリア内に被参照文書がスクロール表示され、被参照文書の全体を容易に認識することができる。すなわち、被参照文書表示エリアでは被参照文書を構成する文字列がその表示エリア内で所定の方向に流れるために、被参照文書表示エリアが小さくても所定の時間で被参照文書全体が周期的に循環してその全体を読み取ることができる。このとき、文書入力エリアの表示に影響はない。被参照文書表示エリアは文書入力エリアの一部の領域であってもよいし、別の領域であってもよい。
【００１４】
前記被参照文書のスクロールに伴い、前記被参照文書中のスクロールした量に相当する文書部分のコピーを行うコピー手段と、このコピーされた文書部分を前記文書入力エリア内に貼り付ける貼付手段とを設ければ、被参照文書中のコピー開始点と終了点を指定するためにカーソル操作を行う必要がなくなる。
【００１５】
また、前記貼付手段は前記コピー終了指示に応じて当該コピーされた文書部分を前記文書入力エリア内の所定の箇所に貼り付けるようにすれば、別個の貼付の指示も不要となる。
【００１６】
本発明は、上記文書作成装置の主要機能を実現するために文書作成装置の制御部において実行されるコンピュータプログラム、あるいは、このコンピュータプログラムを読み取り可能に記録した記録媒体として把握することも可能である。
【発明の効果】
【００１７】
本発明によれば、文書作成装置において被参照文書を参照しながら文書を作成する際に、被参照文書の表示エリアを必要以上に大きく設定する必要なく、被参照文書の全体を読み取ることができ、被参照文書を参照しながらの文書作成作業が容易となる。典型的な用途としては、受信メールを参照しながら返信メールを作成する際に受信メールの内容をスクロール表示することによって、受信メールの内容を確認しながら返信メールを作成することができ、ユーザの利便性が大幅に向上する。
【発明を実施するための最良の形態】
【００１８】
以下、添付の図面を参照しながら、本発明の携帯型文書作成装置の実施の形態として、携帯電話端末について説明する。
【００１９】
図１は携帯電話端末１００の構成を示すブロック図である。
【００２０】
まず、携帯電話端末１００の受信系では、アンテナ１０１を通じて受信した受信信号がアンテナ共用器１０２を通じて受信復調部１０３に供給される。受信復調部１０３は、受信した受信信号が適正なレベルになるように、必要な帯域制限などの処理を行うＲＦ回路を有する。受信復調部１０３はさらにこの処理した信号をＡ／Ｄ変換によりデジタル信号に変換し、受信データ復号部１０４に供給する。受信データ復号部１０４は、受信信号をベースバンド信号処理により、最終的な元のデータに戻す。この復号された受信データは、制御部１０５に供給される。
【００２１】
制御部１０５は携帯電話端末の各部を制御するための手段を構成し、本例ではＣＰＵなどを有するコンピュータである。具体的には、各種キーやジョグダイヤルなどを含む入力部１０８、ＬＣＤなどのディスプレイデバイスにより構成される表示部１０９、ＲＯＭ，ＲＡＭのようなメモリなどにより構成されるデータ格納部１１０、アラーム、音声、オーディオコンテンツなどを出力するためのスピーカ１１１、ＬＥＤ、リンガなどの着信を通知する着信通知部１１２などを制御する。
【００２２】
次に、送信系について説明する。メール送信を行う場合には、制御部１０５により作成された制御信号は送信データ符号化部１０６に供給される。送信データ符号化部１０６で、送信データが所定の符号化方式で符号化して圧縮され、送信変調部１０７に供給される。送信変調部１０７でＤ／Ａ変換された後、アナログ変調信号に変換され、さらに所望の送信周波数に変換される。所望の周波数に変換された信号は必要な送信電力にするために送信ＲＦ回路にて電力増幅され、共用器１０２を経由してアンテナ１０１から放射（送信）される。
【００２３】
制御部１０５は、内部のＥＥＰＲＯＭなどの不揮発性メモリに、携帯電話端末の電源がオフされても、例えばスクロール速度や行数など、電源オフ中にも保持したい情報などを記憶しておき、次の電源オン時に、記憶された情報を使用する事が可能である。制御部１０５はまた、本実施の形態において、受信メールの表示や返信メールの作成に関連した表示部１０９での表示制御を行う。
【００２４】
以下、本実施の形態における具体的な動作について画面例を参照しながら説明する。
【００２５】
図２はメールを受信した時に起動したメールアプリケーションによって表示部１０９に出力された携帯電話端末の画面例を示している。この画面２０は受信メールの表示画面であり、受信した相手の受信メールアドレスの表示エリア２１、電子メール件名の表示エリア２２、電子メール本文の表示エリア２３および操作ガイダンスの表示エリア２４を有している。この画面の操作ガイダンスにおける「返信」をユーザが指示すると、図３の返信メールを作成するための画面３０へ移行する。
【００２６】
画面３０は、返信メールの相手の返信メールアドレスの表示エリア３１、電子メール件名の表示エリア３２、電子メール本文の表示エリア３３を有している。この画面３０およびこれ以降の画面について、操作ガイダンスは特に重要ではないので図示省略してある。
【００２７】
図３の画面３０で電子メール本文の枠を選択すると、図４に示すような本文の編集画面４０が表示される。このとき受信時のオリジナルのメール本文がスクロール画面である表示エリア（被参照文書表示エリア）４２に表示される。この例では表示エリア４２は表示エリア４１上に移動可能に重ねられるウィンドウとして示しているが、必ずしも移動可能である必要はない。また、表示エリア４２は表示エリア４１に重なって示したが、重なる必要はない。
【００２８】
表示エリア４２内に表示される受信メール本文は、その文字列に沿った方向（図では画面に向かって左方向）に特定の速度で自動的にスクロールし続ける。したがって、図４のように返信メールの文書入力エリアである表示エリア４１での入力文字列を表示したまま表示エリア４２が１行の文字列を表示するサイズであっても、ユーザは流れていく文字列を読むことにより受信メール全体を認識することができる。
【００２９】
図５は表示エリア４２内での被参照文書のスクロールに伴い、そのスクロールした量に相当する文書部分のコピー（複写）を行う動作例を示したものである。図示の例では、表示エリア４２内の所定の箇所（この例ではほぼ中央）に固定カーソル４３を表示しておき、ユーザによる入力部からのコピー開始指示からコピー終了指示までの時間内に表示エリア４２内で固定カーソル４３を通過した文書部分を切り出してそのコピーを行う。コピーされる文書部分は強調表示（図の例では反転表示）される。具体的な動作として、図５（ａ）は図４の画面４０から若干時間が経過したあとの画面５０を示している。ユーザは表示エリア４２内でコピーしたい文書部分の先頭の文字が固定カーソル４３に達したこの時点で、例えば所定のキーを押下することによりコピー開始指示を行う。このキーが押下されている間も被参照文書のスクロールは継続し、固定カーソル４３を通過した文字がコピー対象として反転表示される。図５（ｂ）に示した画面５０ではコピー開始指示から所定の時間の経過後（“３月２４日”が固定カーソル４３を通過した直後）に当該キー押下が停止されたとする。本実施の形態ではこのキー押下停止がコピー終了指示となる。
【００３０】
コピー開始指示からコピー終了指示までの間にスクロールにより固定カーソル４３を通過したすべての文字列（図の例では“３月２４日”）がコピー対象の文書部分として確定される。このコピー動作では、被参照文書中のコピー開始位置と終了位置とをユーザが従来のようにカーソル操作で指定する必要がない。また、コピー終了指示に応じて、当該コピーされた文書部分が表示エリア４１内の現在のカーソル位置に貼り付けられる。すなわち、この例ではコピー終了指示が貼付（ペースト）指示を兼ねていることになる。但し、貼付指示をコピー終了指示と別個にしてもよい。
【００３１】
なお、本明細書において固定カーソル４３の「固定」とは、文書入力時に自動的に移動していくような既存のカーソル（例えば表示エリア４１内のカーソル５１）とは異なり、文書入力時には移動しないという意味である。この固定カーソル４３の位置は、表示エリア４２内のスクロールの最上流に近すぎると、希望のコピー対象の認識してからコピー開始指示を行うための時間が短く操作が困難となる。また、表示エリア４２内のスクロールの最下流に近すぎると反転表示されるコピー対象部分が短くなる。したがって、固定カーソル４３の位置は、ユーザの好みや操作のしやすさに応じてユーザが移動設定できるようにしてもよい。
【００３２】
表示エリア４２を移動させる場合には、図示しないが後述する設定画面において表示エリア４２の位置を指定または選択したり、図４のような画面で所定のキー操作で任意の位置に移動させたりすることが可能である。
【００３３】
図６（ａ）は、図５（ｂ）の画面でコピーした文字列“３月２４日”を貼り付けた後に、“はあいにく都合が悪く、”と入力した画面を示している。なお、この画面６０内のスクロール画面としての表示エリア４６は文字列２行分のサイズの例を示している。固定カーソル４３は１行目内に示したが、この位置は２行目内であってもよい。この場合もこの固定カーソル４３の位置はユーザが移動設定できるようにしてもよい。
【００３４】
図６（ｂ）は画面６０でスクロール画面を２行にした例を示す。後述するようにスクロール画面の行数は所定の設定画面での設定により変わる。
【００３５】
また、図７の画面７０では、表示エリア４１の下側にバー表示エリア４４を設けている。このバー表示エリア４４は、コピー対象とされた文書部分が被参照文書である受信メール全体に占める位置および割合を、全体バーの中の指標部４５の位置および長さで示すものである。
【００３６】
図８は、スクロール画面における文書スクロールに関連したパラメータをユーザが設定することができる設定画面８０を示している。この例では、スクロール画面行の設定エリア８１、スクロール速度（この例では１秒当たりに何文字更新するか）の設定エリア８２、スクロール手動制御の設定エリア８３および手動スクロールキー割り当ての設定エリア８４を設けている。スクロール画面行やスクロール速度は設定可能な上下限を設けて、それらを外れる設定はできないようにすることが望ましい。スクロール手動制御は、指定したキーを操作している間だけスクロールを行うものであり、ユーザが被参照文書の動きを停止させたり、特定の文書部分を重点的に見たりしたい場合に有用である。手動スクロールと上記コピー操作とを併用することも可能である。
【００３７】
さらに、上記説明におけるコピー操作は文字単位（１文字または連続した複数文字）のコピーであったが、その時点でスクロール画面に表示中の全文字列をコピーする画面単位のコピーであってもよい。両者を区別するには１文字コピーキーと１画面コピーキーを別個に用意することが好ましい。なお、これらのコピーキーとしては必ずしも専用のキーを設ける必要はなく、既存の１以上のキーを流用することが可能である。一文字コピーキーと１画面コピーキーのキーの割り当てはあらかじめ決められていてもよいし、ユーザが設定可能としてもよい。
【００３８】
図９に本実施の形態におけるスクロール画面表示に関連した設定処理のフローチャートを示す。
【００３９】
図８に示したような設定画面８０において、ユーザがスクロール画面行の設定を指示した場合には（Ｓ１１，Ｙｅｓ）、指示に従ってスクロール画面行を設定する（Ｓ１２）。ユーザがスクロール速度設定を指示した場合には（Ｓ１３，Ｙｅｓ）、指示に従ってスクロール速度を設定する（Ｓ１４）。ユーザがスクロール手動制御設定を指示した場合には（Ｓ１５，Ｙｅｓ）、指示に従ってスクロール手動設定のＯＮ／ＯＦＦおよびキー割り当てを設定する（Ｓ１６）。
【００４０】
図１０は、本実施の形態における電子メールの返信処理のフローチャートを示している。
【００４１】
返信処理では、まず、図２に示したようなメール受信画面２０を表示する（Ｓ２１）。この画面でユーザによる「返信」の指示があれば（Ｓ２２，Ｙｅｓ）、図３に示したような返信メールアドレスおよび件名を入力可能な画面３０を経て、図４に示したような返信メール本文編集のための表示エリア４１を含む画面４０が表示される（Ｓ２３）。さらに、スクロール画面である表示エリア４２も表示される（Ｓ２４）。ユーザによる返信のメール編集が完了するまで（Ｓ２５）、スクロール画面の表示は継続して行われる。編集完了後にユーザの指示に従って返信メールの送信が行われる（Ｓ２６）。
【００４２】
図１１は、図１０の処理におけるステップＳ２４のスクロール画面の表示の詳細処理例を示している。
【００４３】
まず、周期的なスクロール画面の描画更新タイミングを検出するためにスクロール用のタイマ（スクロールタイマと呼ぶ）を用いて計時を行う。すなわち、ユーザの指定したスクロール速度の設定値を用いてタイマスクロールタイマを発行する（Ｓ３１）。例えば１秒当たり５文字のスクロール速度の場合には１／５秒をタイマの満了値としてセットする。このセット値が計時されると（すなわちスクロールタイマが満了すると）（Ｓ３２，Ｙｅｓ）、次のステップＳ３３へ移行する。
【００４４】
ステップＳ３３では図８の設定画面で設定されたスクロール制御のパラメータの一つである「スクロール方向」をデフォルト値（ここでは「左」）に設定する。
【００４５】
ついで、スクロール手動制御設定をチェックする（Ｓ３４）。スクロール手動制御設定がＯＦＦであれば、後述するステップＳ４０へ進む。ＯＮであれば、ユーザによるキー操作の有無をチェックする。すなわち、指定された右スクロールキーがＯＮ（押下）であれば（Ｓ３５，Ｙｅｓ）、「スクロール方向」を「右」に設定する（Ｓ３６）。指定された左スクロールキーがＯＮ（押下）であれば（Ｓ３７，Ｙｅｓ）、「スクロール方向」を「左」に設定する（Ｓ３８）。右スクロールキーも左スクロールキーもいずれもＯＮでない場合には、「スクロール方向」を「停止」に設定する（Ｓ３９）。
【００４６】
このようにして決定されたスクロール方向と、図８の設定画面で設定されたスクロール行数に従ってスクロール画面を更新する（Ｓ４０）。
【００４７】
また、上述した１文字コピーキーがＯＮである場合には（Ｓ４１，Ｙｅｓ）、スクロール画面内の固定カーソルを新たに通過した１文字をコピー済の文字列に追加する（Ｓ４２）。コピー済の文字列はデータ格納部１１０（図１）内バッファ領域（図示せず）に一時保存される。１画面コピーキーがＯＮである場合には（Ｓ４３，Ｙｅｓ）、その時点でスクロール画面に表示中の文字列をコピーする（Ｓ４４）。
【００４８】
その後、貼付実行の指示があれば（Ｓ４５）、コピーされている文字列を表示エリア４１内のメール本文中の現在のカーソル位置に貼り付ける（Ｓ４６）。この場合の貼付実行の指示は前述したように、コピーキーの押下の停止による。これとは別に別途貼付実行の指示を受け付けてもよい。その場合にはコピー済の文字列で現在バッファ内に残っているものを再利用することも可能である。
【００４９】
以上、本発明の好適な実施の形態について説明したが、上記で言及した以外にも種々の変形、変更を行うことが可能である。
【００５０】
例えば、スクロール速度が比較的速く設定されているような場合、被参照文書全体を早く認識するには適するが、コピー対象部分を正確に指示するには操作が困難となる場合がありうる。このような問題に対しては、コピー開始指示が行われた後は自動的にスクロール速度を所定の速度まで低下させ、コピー終了指示があったら、再度元のスクロール速度に戻す、とうような制御を行うことも可能である。これによって、コピー開始した後にコピー対象の終端を余裕を持って見極めて指示することが可能となる。コピー対象の始端もゆっくりと探したいという要請に対しては、コピーの指示があった場合に、まずコピーは開始せずにスクロール速度を所定の速度まで低下させ、その後の再度のコピー開始指示に従ってコピーを開始するようにしてもよい。この際の「コピーの指示」はコピー開始および終了の指示のためのキーと同じものを用いて、３段階の指示（まず、速度低下、次にコピー開始指示、次にコピー終了指示）としてもよいし、速度低下用に別のキーを用いてもよい。
【００５１】
前記スクロールは文書の行に沿った方向に行うものとしたが、文書の行に直交する方向に行単位に行うことも可能である。この場合、上記「１文字コピーキー」によるコピーは行単位（１行または連続した複数行）となる。これは、行単位のコピーを行いたい場合には文字単位のコピーに比べて迅速にコピー操作を行える利点がある。
【００５２】
また、作成文書の例として返信メールの例を挙げたが、本発明は返信メールの作成に限定されるものではなく、任意の文書の作成時に被参照文書を作成する際に用いることが可能である。例えば、メモ入力やスケジュール入力の際に他のメモ帳やスケジュール帳、アドレス帳などを被参照文書として指定するようにしてもよい。
【図面の簡単な説明】
【００５３】
【図１】本発明の実施の形態に係る携帯電話端末の構成を示すブロック図である。
【図２】本発明の実施の形態におけるメール受信の際の携帯電話端末の画面例を示す図である。
【図３】図２の画面に続いて返信メールを作成するための画面例を示す図である。
【図４】図３の画面に続く本文の編集画面例を示す図である。
【図５】本発明の実施の形態において被参照文書のスクロールに伴う文書部分のコピー（複写）を行う動作例を説明するための画面例を示す図である。
【図６】図５の画面でコピーされた文字列の貼付を実行した画面例を示す図である。
【図７】バー表示エリアを設けた変形例を示す図である。
【図８】スクロール画面における文書スクロールに関連したパラメータをユーザが設定することができる設定画面を示す図である。
【図９】本発明の実施の形態におけるスクロール画面表示に関連した設定処理のフローチャートである。
【図１０】本発明の実施の形態における電子メールの返信処理のフローチャートである。
【図１１】図１０の処理におけるステップＳ２４のスクロール画面の表示の詳細処理例を示す図である。
【符号の説明】
【００５４】
２０…メール受信画面、２１…表示エリア、２２…表示エリア、２３…表示エリア、２４…表示エリア、３０…画面、３１…表示エリア、３２…表示エリア、３３…表示エリア、４０…編集画面、４１…表示エリア、４２…表示エリア、４３…固定カーソル、４４…バー表示エリア、４５…指標部、４６…表示エリア、５０…画面、５１…画面、６０…画面、７０…画面、８０…設定画面、８１…設定エリア、８２…設定エリア、８３…設定エリア、８４…設定エリア、１００…携帯電話端末、１０１…アンテナ、１０２…アンテナ共用器、１０２…共用器、１０３…受信復調部、１０４…受信データ復号部、１０５…制御部、１０６…送信データ符号化部、１０７…送信変調部、１０８…入力部、１０９…表示部、１１０…データ格納部、１１１…スピーカ、１１２…着信通知部
【図１】
2006350439.tif 000003
【図２】
2006350439.tif 000004
【図３】
2006350439.tif 000005
【図４】
2006350439.tif 000006
【図５】
2006350439.tif 000007
【図６】
2006350439.tif 000008
【図７】
2006350439.tif 000009
【図８】
2006350439.tif 000010
【図９】
2006350439.tif 000011
【図１０】
2006350439.tif 000012
【図１１】
2006350439.tif 000013